【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
第１のファクシミリ装置と、第２のファクシミリ装置と、を含むシステムであって、
前記第１のファクシミリ装置は、
ファクシミリデータを前記第２のファクシミリ装置に公衆網で送信する第１の送信手段と、
前記第２のファクシミリ装置から前記第２のファクシミリ装置のＩＰ情報を受信する受信手段と、
前記受信手段により受信された前記ＩＰ情報に基づいてＩＰ網で前記ファクシミリデータを再送信するか否かを判定する判定手段と、
前記判定手段により再送信すると判定された場合、前記ＩＰ情報に基づいてＩＰ網で前記第２のファクシミリ装置に前記ファクシミリデータを再送信する第２の送信手段と、
を有し、
前記第２のファクシミリ装置は、
前記第１の送信手段により送信されたファクシミリデータを受信した場合であって、前記ファクシミリデータの送信元が予め定められた送信元である場合、前記予め定められた送信元である第１のファクシミリ装置に前記第２のファクシミリ装置のＩＰ情報を送信するＩＰ情報送信手段を有するシステム。
【請求項２】
ファクシミリデータを送信相手先に公衆網で送信する第１の送信手段と、
前記送信相手先から前記送信相手先のＩＰ情報を受信する受信手段と、
前記受信手段により受信された前記ＩＰ情報に基づいてＩＰ網で前記ファクシミリデータを再送信するか否かを判定する判定手段と、
前記判定手段により再送信すると判定された場合、前記ＩＰ情報に基づいてＩＰ網で前記送信相手先に前記ファクシミリデータを再送信する第２の送信手段と、
を有するファクシミリ装置。
【請求項３】
前記判定手段は、設定された再送信条件を満たす場合、前記公衆網による通信を切断し、前記ＩＰ情報に基づいてＩＰ網で前記送信相手先に前記ファクシミリデータを再送信すると判定し、
前記第２の送信手段は、前記判定手段により再送信すると判定された場合、前記公衆網による通信を切断し、前記ＩＰ情報に基づいてＩＰ網で前記送信相手先に前記ファクシミリデータを再送信する請求項２記載のファクシミリ装置。
【請求項４】
前記判定手段は、前記ファクシミリデータのサイズが予め定められたサイズ以上であるという前記再送信条件を満たす場合、前記公衆網による通信を切断し、前記ＩＰ情報に基づいてＩＰ網で前記送信相手先に前記ファクシミリデータを再送信すると判定する請求項３記載のファクシミリ装置。
【請求項５】
前記判定手段は、前記公衆網よりも前記ＩＰ網の方が前記ファクシミリデータの送信における通信費用が安くなるという前記再送信条件を満たす場合、前記公衆網による通信を切断し、前記ＩＰ情報に基づいてＩＰ網で前記送信相手先に前記ファクシミリデータを再送信すると判定する請求項３記載のファクシミリ装置。
【請求項６】
前記受信手段により受信された前記ＩＰ情報を登録する登録手段を更に有する請求項２乃至５何れか１項記載のファクシミリ装置。
【請求項７】
前記登録手段は、前記第２の送信手段により前記送信相手先に前記ファクシミリデータが再送信された場合、前記ＩＰ情報を登録する請求項６記載のファクシミリ装置。
【請求項８】
前記登録手段は、前記ＩＰ情報をデフォルトのＩＰ情報として登録する請求項６記載のファクシミリ装置。
【請求項９】
前記公衆網によりファクシミリデータが受信された場合に、前記ファクシミリデータの送信元に前記ファクシミリ装置のＩＰ情報を送信する第３の送信手段を更に有する請求項２乃至８何れか１項記載のファクシミリ装置。
【請求項１０】
前記第３の送信手段は、前記公衆網によりファクシミリデータが受信された場合であって、前記ファクシミリデータの送信元が予め定められた送信元である場合、前記予め定められた送信元に前記ＩＰ情報を送信する請求項９記載のファクシミリ装置。
【請求項１１】
前記第３の送信手段は、前記公衆網によりファクシミリデータが受信された場合であって、前記ファクシミリデータの送信元からの受信が２度目以降である場合、前記送信元に前記ＩＰ情報を送信する請求項９記載のファクシミリ装置。
【請求項１２】
前記受信手段は、前記送信相手先から前記送信相手先のＩＰＦＡＸ番号又はアドレス情報のうち少なくとも何れか１つを含む前記ＩＰ情報を受信する請求項２乃至１１何れか１項記載のファクシミリ装置。
【請求項１３】
前記第１の送信手段は、前記ファクシミリデータを前記送信相手先に公衆網であるＧ３回線で送信する請求項２乃至１２何れか１項記載のファクシミリ装置。
【請求項１４】
ファクシミリ装置であって、
ファクシミリデータを受信した場合であって、前記ファクシミリデータの送信元が予め定められた送信元である場合、前記予め定められた送信元に前記ファクシミリ装置のＩＰ情報を送信するＩＰ情報送信手段を有するファクシミリ装置。
【請求項１５】
前記ＩＰ情報送信手段は、公衆網によりファクシミリデータを受信した場合であって、前記ファクシミリデータの送信元が前記予め定められた送信元である場合、前記予め定められた送信元に前記ＩＰ情報を送信する請求項１４記載のファクシミリ装置。
【請求項１６】
前記ＩＰ情報送信手段は、前記公衆網によりファクシミリデータが受信された場合であって、前記予め定められた送信元からの前記ファクシミリデータの受信が２度目以降である場合、前記予め定められた送信元に前記ＩＰ情報を送信する請求項１５記載のファクシミリ装置。
【請求項１７】
第１のファクシミリ装置と、第２のファクシミリ装置と、を含むシステムにおける制御方法であって、
前記第１のファクシミリ装置が、ファクシミリデータを送信相手先に公衆網で送信する第１の送信ステップと、
前記第２のファクシミリ装置が、前記公衆網により前記第１の送信ステップで送信された前記ファクシミリデータを受信した場合であって、前記ファクシミリデータの送信元が予め定められた送信元である場合、前記予め定められた送信元に前記第２のファクシミリ装置のＩＰ情報を送信するＩＰ情報送信ステップと、
前記第１のファクシミリ装置が、前記ＩＰ情報送信ステップで送信された前記第２のファクシミリのＩＰ情報を受信する受信ステップと、
前記第１のファクシミリ装置が、前記受信ステップで受信した前記ＩＰ情報に基づいてＩＰ網で前記ファクシミリデータを再送信するか否かを判定する判定ステップと、
前記第１のファクシミリ装置が、前記判定ステップで再送信すると判定した場合、前記ＩＰ情報に基づいてＩＰ網で前記送信相手先に前記ファクシミリデータを再送信する第２の送信ステップと、
を含む制御方法。
【請求項１８】
ファクシミリ装置が実行する制御方法であって、
ファクシミリデータを送信相手先に公衆網で送信する第１の送信ステップと、
前記送信相手先から前記送信相手先のＩＰ情報を受信する受信ステップと、
前記公衆網による通信を切断し、前記受信ステップにより受信された前記ＩＰ情報に基づいてＩＰ網で前記ファクシミリデータを再送信するか否かを判定する判定ステップと、
前記判定ステップにより再送信すると判定された場合、前記公衆網による通信を切断し、前記ＩＰ情報に基づいてＩＰ網で前記送信相手先に前記ファクシミリデータを再送信する第２の送信ステップと
を含む制御方法。
【請求項１９】
ファクシミリ装置が実行する制御方法であって、
ファクシミリデータを受信した場合であって、前記ファクシミリデータの送信元が予め定められた送信元である場合、前記予め定められた送信元に前記ファクシミリ装置のＩＰ情報を送信する制御方法。
【請求項２０】
第１のコンピュータと、第２のコンピュータと、を含むシステムのプログラムであって、
前記第１のコンピュータに、
ファクシミリデータを前記第２のコンピュータに公衆網で送信する第１の送信ステップと、
前記コンピュータから前記第２のコンピュータのＩＰ情報を受信する受信ステップと、
前記受信ステップで受信された前記ＩＰ情報に基づいてＩＰ網で前記ファクシミリデータを再送信するか否かを判定する判定ステップと、
前記判定ステップで再送信すると判定された場合、前記ＩＰ情報に基づいてＩＰ網で前記第２のコンピュータに前記ファクシミリデータを再送信する第２の送信ステップと、
を実行させ、
前記第２のコンピュータに、
前記第１の送信ステップで送信されたファクシミリデータを受信した場合であって、前記ファクシミリデータの送信元が予め定められた送信元である場合、前記予め定められた送信元である第１のコンピュータに前記第２のコンピュータのＩＰ情報を送信するＩＰ情報送信ステップを実行させるためのプログラム。
【請求項２１】
コンピュータに、
ファクシミリデータを送信相手先に公衆網で送信する第１の送信ステップと、
前記送信相手先から前記送信相手先のＩＰ情報を受信する受信ステップと、
前記公衆網による通信を切断し、前記受信ステップにより受信された前記ＩＰ情報に基づいてＩＰ網で前記ファクシミリデータを再送信するか否かを判定する判定ステップと、
前記判定ステップにより再送信すると判定された場合、前記公衆網による通信を切断し、前記ＩＰ情報に基づいてＩＰ網で前記送信相手先に前記ファクシミリデータを再送信する第２の送信ステップと
を実行させるためのプログラム。
【請求項２２】
コンピュータに、
ファクシミリデータを受信した場合であって、前記ファクシミリデータの送信元が予め定められた送信元である場合、前記予め定められた送信元に前記コンピュータのＩＰ情報を送信するＩＰ情報送信ステップを実行させるためのプログラム。
【手続補正２】
【補正対象書類名】明細書
【補正対象項目名】発明の名称
【補正方法】変更
【補正の内容】
【発明の名称】システム、ファクシミリ装置、制御方法及びプログラム
【手続補正３】
【補正対象書類名】明細書
【補正対象項目名】０００１
【補正方法】変更
【補正の内容】
【０００１】
本発明は、システム、ファクシミリ装置、制御方法及びプログラムに関する。
【手続補正４】
【補正対象書類名】明細書
【補正対象項目名】０００７
【補正方法】変更
【補正の内容】
【０００７】
そこで、本発明のファクシミリ装置は、ファクシミリデータを送信相手先に公衆網で送信する第１の送信手段と、前記送信相手先から前記送信相手先のＩＰ情報を受信する受信手段と、前記受信手段により受信された前記ＩＰ情報に基づいてＩＰ網で前記ファクシミリデータを再送信するか否かを判定する判定手段と、前記判定手段により再送信すると判定された場合、前記ＩＰ情報に基づいてＩＰ網で前記送信相手先に前記ファクシミリデータを再送信する第２の送信手段と、を有する。